(57)【要約】【課題】収納物を出し入れする際に収納物を傷付けることがない使い勝手のよい収納ボックスを提供する。【解決手段】枠体を直方体形状に組み合せた骨組み１と、直方体形状の六面を覆い、内部に収納空間を画成するシート材２１〜２６とを備える。直方体形状の上面を覆うシート材２１の部分に、前方向の辺と横方向両側の辺とが骨組みから取外不能なシート材の部分２１から切り離されて収納空間を開放可能な第１の遊離シート部２２が設けられると共に、直方体形状の前面を覆うシート材２２の部分に、上方の辺と横方向両側の辺とが骨組みから取外不能なシート材の部分２３から切り離されて収納空間を開放可能な第２の遊離シート部２４が設けられ、第１の遊離シート部の前方に、直方体形状の前面上部までのびるオーバーラップ部２５が延設され、このオーバーラップ部と第２の遊離シート部の上部とを重ね合せた状態で吸着保持する吸着手段３を備える。【選択図】図１
0003187383.tif 000002
【実用新案登録請求の範囲】
【請求項１】
枠体を直方体形状に組み合せた骨組みと、直方体形状の六面を覆い、内部に収納空間を画成するシート材とを備える収納ボックスにおいて、
直方体形状のいずれか一組の対面の対向方向を上下方向、他の一組の対面の対向方向を前後方向、残りの一組の対面の対向方向を横方向として、直方体形状の上面を覆うシート材の部分に、前方向の辺と横方向両側の辺とが骨組みから取外不能なシート材の部分から切り離されて収納空間を開放可能な第１の遊離シート部が設けられると共に、直方体形状の前面を覆うシート材の部分に、上方の辺と横方向両側の辺とが骨組みから取外不能なシート材の部分から切り離されて収納空間を開放可能な第２の遊離シート部が設けられ、
第１の遊離シート部の前方に、直方体形状の前面上部までのびるオーバーラップ部が延設され、このオーバーラップ部と第２の遊離シート部の上部とを重ね合せた状態で吸着保持する吸着手段を備えることを特徴とする収納ボックス。
【請求項２】
前記吸着手段は、前記直方体形状の前面上方の枠体に取り付けた帯状シート部と、帯状シート部の所定位置に設けた第１の吸着体と、帯状シート中の第１の吸着体の位置に対応させてオーバーラップ部に設けた第２の吸着体と、帯状シート中の第１の吸着体の位置に対応させて第２の遊離シート部の上部に設けた第３の吸着体とを備えることを特徴とする請求項１記載の収納ボックス。
【請求項３】
前記第３の吸着体はマグネットで構成され、前記第１及び第２の吸着体は磁性体で構成されることを特徴とする請求項２記載の収納ボックス。
【請求項４】
前記第１及び第２の各遊離シート部の横方向両側の辺を前記骨組みから取外不能なシート材の部分に着脱自在に結合させる結合手段を備えることを特徴とする請求項１〜３のいずれか１項に記載の収納ボックス。
【考案の詳細な説明】
【技術分野】
【０００１】
本考案は、収納ボックスに関し、より詳しくは、内部の収納空間に衣類や布団等の収納物を収納することに適したものに関する。
【背景技術】
【０００２】
この種の収納ボックスは例えば特許文献１で知られている。このものは、枠体を立方体形状に組み合せた骨組みと、立方体形状の六面を覆い、内部に収納空間を画成するシート材とを備える。立方体形状のいずれか一組の対面の対向方向を上下方向、他の一組の対面の対向方向を前後方向、残りの一組の対面の対向方向を横方向として、立方体形状の上面が収納物の出し入れ口として構成され、この出し入れ口を覆うために、例えば、立方体形状の上側の一辺に、収納空間を開放可能とする、立方体形状の上面を覆う遊離シート部が設けられる。
【０００３】
ここで、この種の収納ボックスは、押し入れ等に設置するとき、上下に複数積み重ねた状態で設置されることがある。このような場合、積み重ねた状態の収納ボックスから収納物を取り出すことができれば、利便性がよい。そこで、直方体形状の前面を覆うシート材の部分に、上方の辺と横方向両側の辺とが骨組みから取外不能なシート材の部分から切り離されて収納空間を開放可能な他の遊離シート部を更に設けることが提案される。そして、例えば、両遊離シート部を、骨組みから取外不能なシート材の部分に保持できるようにするために、両遊離シート部の前端及び上端と、これに対応する骨組みから取外不能なシート材の部分とに一対の面ファスナーを設けることが考えられる。然し、両遊離シート部が上記取外不能なシート材の部分から切り離された状態では、一方の面ファスナーが露出するため、収納物が触れて傷付くという問題がある。
【先行技術文献】
【特許文献】
【０００４】
【特許文献１】特許第３０８３７８５号公報
【考案の概要】
【考案が解決しようとする課題】
【０００５】
本考案は、以上の点に鑑み、収納物を出し入れする際に収納物を傷付けることがない使い勝手のよい収納ボックスを提供することをその課題とする。
【課題を解決するための手段】
【０００６】
上記課題を解決するために、枠体を直方体形状に組み合せた骨組みと、直方体形状の六面を覆い、内部に収納空間を画成するシート材とを備える本考案の収納ボックスは、直方体形状のいずれか一組の対面の対向方向を上下方向、他の一組の対面の対向方向を前後方向、残りの一組の対面の対向方向を横方向として、直方体形状の上面を覆うシート材の部分に、前方向の辺と横方向両側の辺とが骨組みから取外不能なシート材の部分から切り離されて収納空間を開放可能な第１の遊離シート部が設けられると共に、直方体形状の前面を覆うシート材の部分に、上方の辺と横方向両側の辺とが骨組みから取外不能なシート材の部分から切り離されて収納空間を開放可能な第２の遊離シート部が設けられ、第１の遊離シート部の前方に、直方体形状の前面上部までのびるオーバーラップ部が延設され、このオーバーラップ部と第２の遊離シート部の上部とを重ね合せた状態で吸着保持する吸着手段を備えることを特徴とする。尚、本考案において、シート材とは、布製や革製のような何れの材料のものを含み、メッシュ状のものも含まれるものとする。
【０００７】
本考案によれば、収納ボックスを上下に複数積み重ねた状態でも、第２の遊離シート部を開いて収納空間を開放し、開放された収納空間に対して前方から収納物を出し入れすることができるため、使い勝手がよい。しかも、オーバーラップ部と第２の遊離シート部の上部とを重ね合せた状態で吸着手段により吸着保持するように構成したため、従来例の如く収納物の出し入れの際に収納物が傷付くことがない。
【０００８】
本考案において、前記吸着手段は、前記直方体形状の前面上方の枠体に取り付けた帯状シート部と、帯状シート部の所定位置に設けた第１の吸着体と、帯状シート中の第１の吸着体の位置に対応させてオーバーラップ部に設けた第２の吸着体と、帯状シート中の第１の吸着体の位置に対応させて第２の遊離シート部の上部に設けた第３の吸着体とで構成することが好ましい。これによれば、吸着保持する際に第１の吸着体と第２及び第３の吸着体との間で精密な位置合わせを行う必要がない。しかも、第２の遊離シート部にオーバーラップ部を重ねるだけでなく、オーバーラップ部に第２の遊離シート部を重ねて保持することができてよい。
【０００９】
また、本考案においては、第３の吸着体をマグネットで構成し、第１及び第２の吸着体は磁性体で構成すれば、マグネットの数を少なくすることができ、低コストを図ることができてよい。
【００１０】
本考案において、前記第１及び第２の各遊離シート部の横方向両側の辺を前記骨組みから取外不能なシート材の部分に着脱自在に結合させる結合手段を備えることが好ましい。この結合手段により第１及び第２の各遊離シート部をシート材部分に装着することにより、収納ボックスを移動する際に収納空間から収納物が飛び出すことを防止できる
【図面の簡単な説明】
【００１１】
【図１】本考案の実施形態の収納ボックスを示す斜視図。
【図２】本考案の実施形態の収納ボックスを示す正面図。
【図３】図２のＩＩＩ―ＩＩＩ線に沿った断面図
【図４】第１及び第２の遊離シート部を開いて収納空間を開放した状態を示す斜視図。
【図５】収納ボックスの異なる使用状態を示す正面図。
【図６】図５のＶＩ−ＶＩ線に沿った断面図。
【考案を実施するための形態】
【００１２】
以下、図面を参照して、本考案の実施形態の収納ボックスについて説明する。尚、各図において共通する要素には、同一の符号を付して重複する説明を省略する。
【００１３】
図１〜図４を参照して、ＳＢは、収納ボックスであり、収納ボックスＳＢは、枠体１１，１２を直方体形状に組み合せた骨組み１と、直方体形状の六面を覆い、内部に収納空間ＳＰを画成するシート材２１〜２６とを備える。枠体１１，２１は金属製（例えば、アルミニウムやＳＵＳ製）、木製や樹脂製のものを用いることができる。シート材２１〜２６としては、例えば、布（不織布を含む）製、革製や樹脂製のものを用いることができ、メッシュ状のものも用いることができる。以下においては、直方体形状のいずれか一組の対面の対向方向を上下方向、他の一組の対面の対向方向を前後方向、残りの一組の対面の対向方向を横方向として説明するが、これら上下方向、前後方向、横方向といった用語は図１を基準とする。
【００１４】
直方体形状の上面を覆うシート材２１の部分に、前方向の辺と横方向両側の辺とが骨組みから取外不能なシート材の部分２１から切り離されて収納空間ＳＰを開放可能な第１の遊離シート部２２が設けられている。これと共に、直方体形状の前面を覆うシート材２２の部分に、上方の辺と横方向両側の辺とが骨組みから取外不能なシート材の部分２３から切り離されて収納空間ＳＰを開放可能な第２の遊離シート部２４が設けられている。第１の遊離シート部２２の前方に、直方体形状の前面上部までのびるオーバーラップ部２５が延設されている。オーバーラップ部２５は、収納空間ＳＰ内に埃等が入り難くするという役割を果たす。本考案の収納ボックスＳＢは、従来例の面ファスナーではなく、オーバーラップ部２５と第２の遊離シート部２４の上部とを重ね合せた状態で吸着保持する吸着手段３を備える。
【００１５】
吸着手段３は、直方体形状の前面上方の枠体１２に取り付けた帯状シート部３１と、帯状シート部３１の所定位置（本実施形態では、中央部と横方向両端部）に設けた３個の第１の吸着体３２と、帯状シート３１中の第１の吸着体３２の位置に対応させてオーバーラップ部２５に設けた３個の第２の吸着体３３と、帯状シート３１中の第１の吸着体３２の位置に対応させて第２の遊離シート部２３の上部に設けた３個の第３の吸着体３４とを備える。吸着体３３，３４は、オーバーラップ部２５、第２の遊離シート部２３が折り返されて重なり合う端部に配置されており、各吸着体３３，３４の周囲を縫製することにより位置決めされている。第３の吸着体３４は円形のマグネットで構成され、第１及び第２の吸着体３２，３３は円形の磁性体で構成される。これらの磁性体３２，３３とマグネット３４とは略同一径を有するものを用いることが好ましい。尚、磁性体３２，３３及びマグネット３４としては公知のものを用いることができるため、ここでは詳細な説明を省略する。
【００１６】
収納ボックスＳＢは、第１及び第２の各遊離シート部２２，２４の横方向両側の辺を上記骨組みから取外不能なシート材の部分２１，２３に着脱自在に結合させる結合手段４１，４２を備え、収納ボックスＳＢを持ち運ぶ際に、収納空間ＳＰから収納物が飛び出すことを防止できる。結合手段４１，４２は、例えば、公知のファスナー手段で構成することができる。尚、両側面２４，２５には、収納ボックスＳＢを持ち運ぶ際に利用者が把持する把持部５が設けられている。以下、上記収納ボックスＳＢの使用方法について、収納空間ＳＰに対して収納物を出し入れする場合を例に説明する。
【００１７】
収納ボックスＳＢを複数積み重ねて押し入れ等に設置した場合、第１の遊離シート部２２を開くことは出来ない。この場合、オーバーラップ部２５を持ち上げると共に、ファスナー手段４２を開けて前面の第２の遊離シート部２４を開いて収納空間ＳＰを開放し、開放された収納空間ＳＰに対して収納物を前方から出し入れする。このとき、従来例の面ファスナーの如く収納物を傷付ける部材が露出しないため、収納物が傷付かない。収納物の出し入れが終わると、ファスナー手段４２を閉じて帯状シート部３１に第２の遊離シート部２４を重ねた後、第２の遊離シート部２４にオーバーラップ部２５を重ねて吸着保持する。尚、収納ボックスＳＢを移動させないのであれば、ファスナー手段４２を閉じない状態で、帯状シート部３１に第２の剥離シート２４を重ねるようにしてもよい。
【００１８】
他方、収納ボックスＳＢを移動させて収納物を出し入れする場合、つまり、収納ボックスＳＢを上下に積み重ねることなく使用する場合、ファスナー手段４１を開き、オーバーラップ部２５を持ち上げて上面の第１の遊離シート部２２を開くことにより、収納空間ＳＰを開放し、開放された収納空間ＳＰに対して収納物を上方から出し入れする。この場合も、上述の如く、収納物を出し入れする際に収納物が傷付くことを防止できる。収納物の出し入れが終わると、ファスナー手段４１を閉じて第２の遊離シート部２４にオーバーラップ部２５を重ねて吸着保持する。
【００１９】
このように、本実施形態によれば、従来例の面ファスナーに代えて、第１の遊離シート部２２前方のオーバーラップ部２５と第２の遊離シート部２４の上部とを重ね合せた状態で吸着手段３により吸着保持するようにしたため、収納物を出し入れする際に傷付くことが防止できる。
【００２０】
また、吸着手段３を、帯状シート部３１と、帯状シート部３１に設けた磁性体３２と、この帯状シート３１中の磁性体３２の位置に対応させてオーバーラップ部２５に設けた磁性体３３と、帯状シート３１中の磁性体３２の位置に対応させて第２の遊離シート部２４の上部に設けたマグネット３４とで構成することにより、吸着保持する際にこれら磁性体３２，３３及びマグネット３４相互の間で精密な位置合わせを行う必要がなくて使い勝手がよく、後述の如くシートを重ねる順番を変えることもできるため利便性がよい。
【００２１】
尚、本考案は上記実施形態に限定されるものではない。上記実施形態では、円形の磁性体３２，３３及びマグネット３４を使用する場合について説明したが、磁性体及びマグネットの形状は任意であり、例えば、矩形のものを使用することもできる。磁性体及びマグネットの夫々の個数は、３個に限られず、収納ボックスＳＢのサイズに応じて適宜設定することができる。また、横長の１つの板状のマグネット３４を使用することもできるが、円形または矩形のものを複数個使用する方が低コストでよい。また、上記実施形態では、上面と前面に夫々遊離シート部２２，２４を設けた場合について説明したが、横方向のシート材２４、２５に遊離シート部を更に設けてもよい。
【００２２】
また、上記実施形態では、第２遊離シート部２４にオーバーラップ部２５を重ねた状態で吸着保持する場合について説明したが、吸着体３２，３３，３４には面ファスナーの如く雄雌の別がないため、図５及び図６に示すように、オーバーラップ部２５に第２遊離シート部２４を重ねた状態で吸着保持することもできる。この場合、オーバーラップ部２５を押し上げる必要がなく、第２遊離シート部２４だけを開くことで収納空間ＳＰを開放できるため、利用者にとっての利便性をより一層向上させることができる。また、オーバーラップ部２５に磁性体３３を設けなくても、マグネット３４の吸着力によりオーバーラップ部２５を保持することができる。この場合、低コストを図ることができてよい。
【符号の説明】
【００２３】
ＳＢ…収納ボックス、１…骨組み、１１，１２…枠体、２１〜２６…シート材、２１，２３…取外不能なシート材の部分、２２…第１の遊離シート部、２４…第２の遊離シート部、２５…オーバーラップ部、３…吸着手段、３１…帯状シート、３２…第１の吸着体（磁性体）、３３…第２の吸着体（磁性体）、３４…第３の吸着体（マグネット）、４…結合手段（ファスナー手段）。
【図１】
0003187383.tif 000003
【図２】
0003187383.tif 000004
【図３】
0003187383.tif 000005
【図４】
0003187383.tif 000006
【図５】
0003187383.tif 000007
【図６】
0003187383.tif 000008